(57)【要約】【課題】  ハートカム又はイジェクトレバーを押込む途中でも開放する途中でも、突然手指をハートカム又はイジェクトレバーから離しても、ハートカム又はイジェクトレバーが急速に戻る現象の発生を防止する。【解決手段】  ハートカム機構は、ハートカム４Ｃと、ハートカムに設けられているカム溝にガイドされるカムフォロア６と、ハートカムを常時対象物（カード、扉等）の排出（開放）方向に向けて付勢する弾性部材５とを有する。カム溝において、対象物を押込む時に用いられるガイド部分４Ｃ４、又は、対象物を開放する時に用いられるガイド部分４Ｃ９の少なくとも一方に、弾性部材の付勢力を制御するために、カムフォロアの進行方向を小刻みに変える形状（波形状等）が形成される。【選択図】  図３
2005302423.tif 000002
【特許請求の範囲】
【請求項１】
ハートカム機構は、ハートカムと、前記ハートカムに設けられているカム溝にガイドされるカムフォロアと、前記ハートカムを常時対象物の開放方向に向けて付勢する弾性部材とを有し、
前記カム溝において、前記対象物を押込む時に用いられるガイド部分、又は、前記対象物を開放する時に用いられるガイド部分の少なくとも一方に、前記弾性部材の付勢力を制御するために、前記カムフォロアの進行方向を小刻みに変える形状が形成されることを特徴とするハートカム機構。
【請求項２】
前記カムフォロアの進行方向を小刻みに変える形状が形成されていない前記両ガイド部分の一方と形成されている前記両ガイド部分の他方の間にバイパス溝が設けられていることを特徴とする請求項１記載のハートカム機構。
【請求項３】
ハートカム機構を有するプッシュ−プッシュ式カード用コネクタにおいて、
前記ハートカム機構は、カードと共にスライドするイジェクトレバーと、前記イジェクトレバーに設けられているハートカムと、前記ハートカムに設けられているカム溝にガイドされるカムフォロアと、前記イジェクトレバーを常時前記カードの排出方向に向けて付勢する弾性部材とを有し、
前記カム溝において、前記カードを挿入する時に用いられるガイド部分、又は、前記カードを排出する時に用いられるガイド部分の少なくとも一方に、前記弾性部材の付勢力を制御するために、前記カムフォロアの進行方向を小刻みに変える形状が形成されることを特徴とするプッシュ−プッシュ式カード用コネクタ。
【請求項４】
前記カムフォロアの進行方向を小刻みに変える形状が形成されていない前記両ガイド部分の一方と形成されている前記両ガイド部分の他方の間にバイパス溝が設けられていることを特徴とする請求項３記載のプッシュ−プッシュ式カード用コネクタ。
【発明の詳細な説明】
【技術分野】
【０００１】
本発明は、プッシュ操作の繰り返しによって、押込みと開放とを行うハートカム機構、及び、カードのコネクタへの挿入とコネクタからの排出とを行うプッシュ−プッシュ式カード用コネクタに関する。
【背景技術】
【０００２】
従来の技術としてプッシュ−プッシュ式カード用コネクタについて図７〜図１０を参照して説明する（例えば、特許文献１参照。）。
【０００３】
図７は、コネクタの分解斜視図、図８は、コネクタにカードを挿入する前の状態を示す斜視図、図９（ａ）〜（ｅ）は、コネクタに対するカードの挿入と排出の過程を順次示す斜視図、図１０は、コネクタにおけるハートカムのカム溝にガイドされるカムフォロアのガイドピンの過程を示す斜視図である。
【０００４】
コネクタ１は、インシュレータ２と、インシュレータ２に固定された複数のコンタクト３と、インシュレータ２のフレーム部２Ａに装着されるイジェクトレバー４と、イジェクトレバー４を排出方向へ常時付勢する圧縮コイルばね５と、イジェクトレバー４に形成されたハートカム４Ｃにガイドされるカムフォロア６とから構成される。カード１１は、コネクタ１に挿入され、また、コネクタ１から排出される。
【０００５】
個々の部品を詳細に説明すると、インシュレータ２は、合成樹脂から略長方形状に製造され、その３辺にコ字形のフレーム部２Ａ，２Ｂ，２Ｃが形成される。各コンタクト３には、一端側に凸状湾曲接点部３Ａが形成され、他端側に平坦接点部３Ｂが形成されている。イジェクトレバー４は、合成樹脂から略Ｌ字形状に製造され、ガイド部４Ａと直角折曲部４Ｂとを有し、ガイド部４Ａの一面にはハートカム４Ｃが形成され、直角折曲部４Ｂのカード当接部４Ｄにはカード１１の先端が当接する。イジェクトレバー４のガイド部４Ａは、フレーム部２Ａに形成された断面Ｕ字状の溝（図示せず）内にスライド可能に収容され、ガイド部４Ａの一面に形成された溝４Ｅ内に圧縮コイルばね５が挿入される。圧縮コイルばね５の一端は、イジェクトレバー４に圧接し、他端は、フレーム部２Ｃの内面に圧接する。したがって、イジェクトレバー４は、圧縮コイルばね５によってカード１１をコネクタ１から排出する方向へ常時付勢されている。カムフォロア６は、金属製でレバー状に形成され、フレーム部２Ａの外側に形成された切欠２Ｄ内に所定角度回動可能に配置される。カムフォロア６の基部に形成された穴６Ａは、フレーム部２Ａに形成された軸２Ｅにはまり、また、カムフォロア６の先端部に折曲形成されたガイドピン６Ｂは、フレーム部２Ａに設けられた穴（図示せず）を貫通してハートカム４Ｃのカム溝に係合する。
【０００６】
なお、コネクタ１の全体を長方形状のカバー（図示せず）によって覆う。
【０００７】
イジェクトレバー４のハートカム４Ｃの詳細について図１０を参照して説明する。イジェクトレバー４のガイド部４Ａの一面には、ハートカム４Ｃが形成される。ハートカム４Ｃは、カムフォロア６のガイドピン６Ｂの出発点の円囲１と、イジェクトレバー４のスライド方向に対して傾斜したガイド部分の円囲２と、ハート型の凹部の円囲３と、イジェクトレバー４のスライド方向に対して平行なガイド部分の円囲４と、ガイドピン６Ｂの終着点の円囲５すなわち出発点の円囲１とから、循環状のガイドレール（カム溝）として構成される。ガイドピン６Ｂは、フリー状態では、カムフォロア６の弾力性によって図１０における右方へ付勢されている。
【０００８】
カード１１のコネクタ１に対する挿入と排出（抜去）について図９と図１０を参照して説明する。
【０００９】
まず、図９（ａ）は、カード１１の一部がコネクタ１内に挿入されたフリー状態であり、図１０において、カムフォロア６のガイドピン６Ｂは、ハートカム４Ｃの出発点の円囲１に位置する。
【００１０】
次に、図９（ｂ）は、カード１１をコネクタ１内方向へプッシュし、カード１１の先端がイジェクトレバー４のカード当接部４Ｄに当接することによって、カード１１とイジェクトレバー４とが一体となって、コネクタ１内へ圧縮コイルばね５の圧縮力に抵抗しながらスライドする途中の状態である。図１０において、ガイドピン６Ｂは、ハートカム４Ｃにおけるイジェクトレバー４のスライド方向に対して傾斜したガイド部分の円囲２に位置する。
【００１１】
続いて、カード１１を最大のストロークまでプッシュした後に、プッシュを中止すると、カード１１とイジェクトレバー４とは、圧縮コイルばね５の復元力によってわずかに戻されて図９（ｃ）の状態に至る。図９（ｃ）は、カード１１の複数のパッド（図示せず）が複数のコンタクト３の各凸状湾曲接点部３Ａに接触した嵌合状態であり、図１０において、ガイドピン６Ｂは、ハートカム４Ｃのハート型の凹部の円囲３に没入して位置する。以上で、カード１１の嵌合操作は完了する。
【００１２】
再び、カード１１を最大のストロークまでプッシュした後に、プッシュを中止すると、図１０において、ガイドピン６Ｂは、ハートカム４Ｃのハート型の凹部の円囲３から脱出してイジェクトレバー４のスライド方向に対して平行なガイド部分の円囲４を経て終着点の円囲５すなわち出発点の円囲１に至る。カード１１とイジェクトレバー４とは、圧縮コイルばね５の復元力によって図９（ｄ）の状態を経て図９（ｅ）の状態に至る。以上で、カード１１の排出操作は、完了する。
【００１３】
前記実施の形態例では、ハートカム４Ｃをイジェクトレバー４に形成し、カムフォロア６をインシュレータ２に設けたが、ハートカムをインシュレータに形成し、カムフォロアをイジェクトレバーに設けるように設計変更することができる。
【００１４】
前記従来のコネクタ１におけるハートカム機構の模式図を図１１に示す。図１１（ａ）はハートカム４Ｃの押込む前の状態の正面図、図１１（ｂ）はハートカム４Ｃを押込んだ状態の正面図、図１１（ｃ）は図１１（ｂ）における線Ａ−Ａによる断面図を、それぞれ示す。
【００１５】
図１１（ａ）において、カムフォロア６の一端の穴６Ａは、インシュレータ２に支持され、他端のガイドピン６Ｂはハートカム４Ｃの溝の出発点の円囲１に位置する。ガイドピン６Ｂは、フリー状態では、カムフォロア６の弾力性によって右方へ付勢されている。
【００１６】
手指によってハートカム４Ｃを圧縮コイルばね５に抗して白抜矢印の方向に押込む。すると、ガイドピン６Ｂは、出発点の円囲１の位置からガイド部分の円囲２を経て最大のストロークまで至る。続いて、手指をハートカム４Ｃから離すと、ハートカム４Ｃは圧縮コイルばね５の反力によって若干戻り、ガイドピン６Ｂはハートカム４Ｃの凹部の円囲３に没入して図１１（ｂ）の位置に至る。
【００１７】
ハートカム４Ｃの開放時には、図１１（ｂ）の状態において、手指によってハートカム４Ｃを圧縮コイルばね５に抗して若干押込む。すると、ガイドピン６Ｂは、ハートカム４Ｃの凹部の円囲３の位置から右下方向の最大のストロークまで至る。この後、手指をハートカム４Ｃから離すと、ハートカム４Ｃは、圧縮コイルばね５の反力によって図１１（ａ）の位置に至る。このとき、ガイドピン６Ｂは、ガイド部分の円囲４を経て終着点の円囲５すなわち出発点の円囲１に至る。
【００１８】
【特許文献１】特開２００１−２６７０１３号公報（第２頁第２欄第３４行〜第３頁第４欄第２６行、図１〜４）
【発明の開示】
【発明が解決しようとする課題】
【００１９】
前記従来の技術において、イジェクトレバー４（ハートカム４Ｃ）を押込む途中で、突然手指をイジェクトレバー４から離すと、イジェクトレバー４が圧縮コイルばね５の反力によって急速に戻る現象が発生する。また、イジェクトレバー４を開放する途中で、突然手指をイジェクトレバー４から離すと、同様の現象が発生する。
【００２０】
したがって、ハートカム機構が家具の扉等に実施されていれば、扉等が損傷する。また、イジェクトレバー機構がカード用コネクタに実施されていれば、カードの破損や紛失の支障が生じる。
【００２１】
そこで、本発明は、前記従来の技術の欠点を改良し、ハートカム又はイジェクトレバーを押込む途中でも開放する途中でも、突然手指をハートカム又はイジェクトレバーから離しても、ハートカム又はイジェクトレバーが急速に戻る現象が発生しないハートカム機構及びプッシュ−プッシュ式カード用コネクタを提供しようとするものである。
【課題を解決するための手段】
【００２２】
本発明は、前記課題を解決するため、次の手段を採用する。
【００２３】
１．ハートカム機構は、ハートカムと、前記ハートカムに設けられているカム溝にガイドされるカムフォロアと、前記ハートカムを常時対象物（扉等）の開放方向に向けて付勢する弾性部材とを有し、前記カム溝において、前記対象物を押込む時に用いられるガイド部分、又は、前記対象物を開放する時に用いられるガイド部分の少なくとも一方に、前記弾性部材の付勢力を制御するために、前記カムフォロアの進行方向を小刻みに変える形状が形成されるハートカム機構。
【００２４】
２．前記カムフォロアの進行方向を小刻みに変える形状が形成されていない前記両ガイド部分の一方と形成されている前記両ガイド部分の他方の間にバイパス溝が設けられている前記１記載のハートカム機構。
【００２５】
３．ハートカム機構を有するプッシュ−プッシュ式カード用コネクタにおいて、前記ハートカム機構は、カードと共にスライドするイジェクトレバーと、前記イジェクトレバーに設けられているハートカムと、前記ハートカムに設けられているカム溝にガイドされるカムフォロアと、前記イジェクトレバーを常時前記カードの排出方向に向けて付勢する弾性部材とを有し、前記カム溝において、前記カードを挿入する時に用いられるガイド部分、又は、前記カードを排出する時に用いられるガイド部分の少なくとも一方に、前記弾性部材の付勢力を制御するために、前記カムフォロアの進行方向を小刻みに変える形状が形成されるプッシュ−プッシュ式カード用コネクタ。
【００２６】
４．前記カムフォロアの進行方向を小刻みに変える形状が形成されていない前記両ガイド部分の一方と形成されている前記両ガイド部分の他方の間にバイパス溝が設けられている前記３記載のプッシュ−プッシュ式カード用コネクタ。
【発明の効果】
【００２７】
明細書の説明から明らかなように、本発明は、次の効果を奏する。
【００２８】
１．ハートカム又はイジェクトレバーを押込む途中でも開放する途中でも、突然手指をハートカム又はイジェクトレバーから離しても、ハートカム又はイジェクトレバーが急速に戻る現象の発生を防止できる。
【００２９】
２．ハートカム機構は、作動が確実で、構造が簡素である。
【００３０】
３．ハートカム機構は、部品点数が少なく、組立分解が容易で、しかも、コストが安価である。
【発明を実施するための最良の形態】
【００３１】
本発明のハートカム機構の４つの実施例とプッシュ−プッシュ式カード用コネクタ及び家具の扉について説明する。
【実施例１】
【００３２】
本発明の実施例１のハートカム機構について図１を参照して説明する。ただし、実施例１については、図１１に示される従来のハートカム機構と同様な点の説明を省略し、相違する点の説明を行う。
【００３３】
ハートカム４Ｃの循環状のカム溝は、スライド方向に対して平行な往復両行程共用の第１ガイド部分４Ｃ１と、スライド方向に対して傾斜した第２ガイド部分４Ｃ２と、スライド方向に対して平行な第３ガイド部分４Ｃ３と、波形状の第４ガイド部分４Ｃ４と、スライド方向に対して平行な第５ガイド部分４Ｃ５と、スライド方向に対して逆方向に傾斜した第６ガイド部分４Ｃ６と、凹部４Ｃ７と、スライド方向に対して傾斜した第７ガイド部分４Ｃ８と、スライド方向に対して平行な第８ガイド部分４Ｃ９と、スライド方向に対して傾斜した第９ガイド部分４Ｃ１０とから連続して構成される。第９ガイド部分４Ｃ１０は、第１ガイド部分４Ｃ１に連続する。
【００３４】
第１ガイド部分４Ｃ１から第６ガイド部分４Ｃ６までのカム溝は、ハートカム４Ｃの押込み時（往行程）にカムフォロア６のガイドピン６Ｂをガイドする。第７ガイド部分４Ｃ８から第９ガイド部分４Ｃ１０を経て第１ガイド部分４Ｃ１までのカム溝は、ハートカム４Ｃの開放時（復行程）にカムフォロア６のガイドピン６Ｂをガイドする。
【００３５】
第４ガイド部分４Ｃ４は、波形状に構成されている。したがって、ハートカム４Ｃを押込む途中で、突然手指をハートカム４Ｃから離しても、ガイドピン６Ｂが第４ガイド部分４Ｃ４中で動き難いため、第４ガイド部分４Ｃ４はブレーキの作用を営む。よって、ハートカム４Ｃが圧縮コイルばね５の反力によって急速に戻る現象の発生は、防止される。
【実施例２】
【００３６】
本発明の実施例２のハートカム機構について図２を参照して説明する。ただし、実施例２については、実施例１と同様な点の説明を省略し、相違する点の説明を行う。
【００３７】
実施例１では、第４ガイド部分４Ｃ４が波形状に構成され、第８ガイド部分４Ｃ９がスライド方向に対して平行に構成される。これに対して、実施例２では、第８ガイド部分４Ｃ９が波形状に構成され、第４ガイド部分４Ｃ４がスライド方向に対して平行に構成される。
【００３８】
したがって、ハートカム４Ｃを開放する途中で、突然手指をハートカム４Ｃから離しても、ガイドピン６Ｂが第８ガイド部分４Ｃ９中で動き難いため、第８ガイド部分４Ｃ９はブレーキの作用を営む。よって、ハートカム４Ｃが圧縮コイルばね５の反力によって急速に戻る現象の発生は、防止される。
【実施例３】
【００３９】
本発明の実施例３のハートカム機構について図３を参照して説明する。ただし、実施例３については、実施例１と同様な点の説明を省略し、相違する点の説明を行う。
【００４０】
実施例１では、第４ガイド部分４Ｃ４のみが波形状に構成されるのに対し、実施例３では、第４ガイド部分４Ｃ４と第８ガイド部分４Ｃ９の両方が波形状に構成される。
【００４１】
したがって、ハートカム４Ｃを押込む途中でも開放する途中でも、突然手指をハートカム４Ｃから離しても、ハートカム４Ｃが圧縮コイルばね５の反力によって急速に戻る現象の発生は、防止される。
【実施例４】
【００４２】
本発明の実施例４のハートカム機構について図４を参照して説明する。ただし、実施例４については、実施例２と同様な点の説明を省略し、相違する点の説明を行う。
【００４３】
実施例４においては、実施例２のスライド方向に対して平行な第４ガイド部分４Ｃ４と波形状の第８ガイド部分４Ｃ９の間をバイパス溝となる第１０ガイド部分４Ｃ１１によって連続する。図４（ａ）におけるＣは、押込み時の戻りパスと開放時の戻りパスの兼用区間となる。
【００４４】
このように構成すると、ハートカム４Ｃを押込む途中で、突然手指をハートカム４Ｃから離しても、ガイドピン６Ｂは第４ガイド部分４Ｃ４から第１０ガイド部分４Ｃ１１を経て波形状の第８ガイド部分４Ｃ９に移る。したがって、ガイドピン６Ｂは、第８ガイド部分４Ｃ９中で動き難い。よって、ハートカム４Ｃが圧縮コイルばね５の反力によって急速に戻る現象の発生は、防止される。
【００４５】
なお、バイパス溝については、実施例１において、第８ガイド部分４Ｃ９と第４ガイド部分４Ｃ４の間を第１０ガイド部分４Ｃ１１によって連続することもできる。
【００４６】
本発明の各実施例のハートカム機構における波形状のガイド部分の構成は、これに限るものではなく、ガイドピンの進行方向を小刻みに変える形状であってブレーキの作用を営めば、所期の目的を達成することができる。
【００４７】
（ハートカム機構の家具の扉への使用について）
本発明の各実施例のハートカム機構を家具の扉に使用した場合について図５を参照して説明する。
【００４８】
家具１６の扉１７のヒンジ（図示せず）の付近にハートカム機構を設置する。すると、扉１７を閉鎖する途中又は開放する途中の少なくとも一方で、突然手指を扉１７から離しても、扉１７が急速に開放する現象の発生は、防止される。
【００４９】
（ハートカム機構のプッシュ−プッシュ式カード用コネクタへの使用について）
本発明の各実施例のハートカム機構をプッシュ−プッシュ式カード用コネクタのイジェクトレバーに使用した場合について図６を参照して説明する。ただし、ハートカム以外は、従来のコネクタと同様であるので、説明を省略する。
【００５０】
本発明のハートカム機構をイジェクトレバー４に使用すると、カードをコネクタに挿入する途中又はコネクタから排出する途中の少なくとも一方で、突然手指をイジェクトレバー４から離しても、カードが急速にコネクタから排出される現象の発生は、防止される。
【図面の簡単な説明】
【００５１】
【図１】本発明の実施例１のハートカム機構の模式的正面図である。
【図２】本発明の実施例２のハートカム機構の模式的正面図である。
【図３】本発明の実施例３のハートカム機構の模式的正面図である。
【図４】本発明の実施例４のハートカム機構の模式的諸図であり、（ａ）は要部の正面図、（ｂ）は（ａ）における線Ａ−Ａによる断面図、（ｃ）は（ａ）における線Ｂ−Ｂによる断面図を、それぞれ示す。
【図５】本発明のハートカム機構が扉に使用された家具の斜視図である。
【図６】本発明のハートカム機構がイジェクトレバーに使用されたプッシュ−プッシュ式カード用コネクタの分解斜視図である。
【図７】従来のプッシュ−プッシュ式カード用コネクタの分解斜視図である。
【図８】同コネクタにカードが挿入される前の状態の斜視図である。
【図９】（ａ）〜（ｅ）は、同コネクタに対する同カードの挿入と排出の過程を順次示す斜視図である。
【図１０】同コネクタにおけるハートカムのガイドレール（カム溝）にガイドされるカムフォロアのガイドピンの過程を示す斜視図である。
【図１１】同コネクタのハートカム機構の模式的諸図であり、（ａ）は同ハートカムの押込み前の正面図、（ｂ）は同ハートカムの押込み後の正面図、（ｃ）は（ｂ）における線Ａ−Ａによる断面図を、それぞれ示す。
【符号の説明】
【００５２】
１  プッシュ−プッシュ式カード用コネクタ
２  インシュレータ
２Ａ  フレーム部
２Ｂ  フレーム部
２Ｃ  フレーム部
２Ｄ  切欠
２Ｅ  軸
３  コンタクト
３Ａ  凸状湾曲接点部
３Ｂ  平坦接点部
４  イジェクトレバー
４Ａ  ガイド部
４Ｂ  直角折曲部
４Ｃ  ハートカム
４Ｃ１  第１ガイド部分
４Ｃ２  第２ガイド部分
４Ｃ３  第３ガイド部分
４Ｃ４  第４ガイド部分
４Ｃ５  第５ガイド部分
４Ｃ６  第６ガイド部分
４Ｃ７  凹部
４Ｃ８  第７ガイド部分
４Ｃ９  第８ガイド部分
４Ｃ１０  第９ガイド部分
４Ｃ１１  第１０ガイド部分
４Ｄ  カード当接部
４Ｅ  溝
５  圧縮コイルばね
６  カムフォロア
６Ａ  穴
６Ｂ  ガイドピン
１６  家具
１７  扉
【図１】
2005302423.tif 000003
【図２】
2005302423.tif 000004
【図３】
2005302423.tif 000005
【図４】
2005302423.tif 000006
【図５】
2005302423.tif 000007
【図６】
2005302423.tif 000008
【図７】
2005302423.tif 000009
【図８】
2005302423.tif 000010
【図９】
2005302423.tif 000011
【図１０】
2005302423.tif 000012
【図１１】
2005302423.tif 000013